(57)【要約】【課題】機械式入力部、および静電容量式入力部を備えるものにおける静電容量式入力部の誤入力を防止可能とする入力装置を提供する。【解決手段】機械的な接点状態の切替えに基づく機械式入力部１２０と、操作者の指の接触に基づく静電容量式入力部１３０とが、１つの操作パネル１１０内に混在するように設けられた入力装置において、機械式入力部１２０と静電容量式入力部１３０のうち、いずれの入力部１２０、１３０が操作されているかを検出する検出手段１４０、１５０と、検出手段１４０、１５０によって、機械式入力部１２０が操作されていると検出されたときに、静電容量式入力部１３０での誤入力を防止する防止手段（１６０）とを設ける。【選択図】図１
2015135565.tif 000002
【特許請求の範囲】
【請求項１】
機械的な接点状態の切替えに基づく機械式入力部（１２０）と、操作者の指の接触に基づく静電容量式入力部（１３０）とが、１つの操作パネル（１１０）内に混在するように設けられた入力装置であって、
前記機械式入力部（１２０）と前記静電容量式入力部（１３０）のうち、いずれの入力部（１２０、１３０）が操作されているかを検出する検出手段（１４０、１５０）と、
前記検出手段（１４０、１５０）によって、前記機械式入力部（１２０）が操作されていると検出されたときに、前記静電容量式入力部（１３０）での誤入力を防止する防止手段（１６０）とを備えることを特徴とする入力装置。
【請求項２】
前記検出手段（１４０、１５０）は、隣り合う前記機械式入力部（１２０）および前記静電容量式入力部（１３０）のいずれか一方側に設けられて、前記機械式入力部（１２０）および前記静電容量式入力部（１３０）のいずれか一方側への前記操作者の指の接触状態を検出する静電容量式の電極部（１４０）であることを特徴とする請求項１に記載の入力装置。
【請求項３】
前記機械式入力部（１２０）は、回転操作されるダイヤル式の入力部（１２０）であり、
前記静電容量式の電極部（１４０）は、前記機械式入力部（１２０）側に設けられて、前記静電容量式入力部（１３０）に隣り合う領域と、その反対側の領域とに分割されていることを特徴とする請求項２に記載の入力装置。
【請求項４】
前記防止手段（１６０）は、前記操作者の指による前記静電容量式入力部（１３０）の感度を低下させることで前記静電容量式入力部（１３０）での誤入力を防止することを特徴とする請求項１〜請求項３のいずれか１つに記載の入力装置。
【請求項５】
前記防止手段（１６０）は、前記静電容量式入力部（１３０）からの検出信号の受付けを禁止することで前記静電容量式入力部（１３０）での誤入力を防止することを特徴とする請求項１〜請求項３のいずれか１つに記載の入力装置。
【発明の詳細な説明】
【技術分野】
【０００１】
本発明は、機械式入力操作部と、静電式入力操作部とを備える入力装置に関するものである。
【背景技術】
【０００２】
従来の入力装置として、例えば、特許文献１に記載されたものが知られている。特許文献１の入力装置は、静電容量式タッチパネルを用いたものとなっており、静電容量式タッチパネルの表面に、物体が近接していることを検出する近接センサが設けられている。
【０００３】
そして、タッチパネルにおいて静電容量の変化を検出し、且つ、近接センサでの物体の近接を検出すると、利用者の操作が行われていると判定して、タッチパネルにおける検出結果を出力するようにしている。
【０００４】
しかしながら、タッチパネルにおいて静電容量の変化を検出しても、近接センサでの物体の近接を検出しないときは、タッチパネルにおける容量変化は、水滴等の異物の付着と判定して、タッチパネルにおける感度低下等の処置を行い、異物付着による誤検出を防止するようにしている。
【先行技術文献】
【特許文献】
【０００５】
【特許文献１】特開２０１２−１３８０２６号公報
【発明の概要】
【発明が解決しようとする課題】
【０００６】
しかしながら、特許文献１の入力装置では、タッチパネルへの異物付着による誤検出を防止するものに過ぎない。入力装置においては、同一の操作パネル上に機械式の入力部、および静電容量式の入力部が混在する場合がある。このような場合であると、例えば、機械式入力部への操作開始時、あるいは操作時、あるいは操作後に、近接する静電容量式入力部に触れてしまい、その静電容量式入力部による意図しない動作を発生させてしまう場合がある。
【０００７】
本発明の目的は、上記問題に鑑み、機械式入力部、および静電容量式入力部を備えるものにおける静電容量式入力部の誤入力を防止可能とする入力装置を提供することにある。
【課題を解決するための手段】
【０００８】
本発明は上記目的を達成するために、以下の技術的手段を採用する。
【０００９】
本発明では、機械的な接点状態の切替えに基づく機械式入力部（１２０）と、操作者の指の接触に基づく静電容量式入力部（１３０）とが、１つの操作パネル（１１０）内に混在するように設けられた入力装置であって、
機械式入力部（１２０）と静電容量式入力部（１３０）のうち、いずれの入力部（１２０、１３０）が操作されているかを検出する検出手段（１４０、１５０）と、
検出手段（１４０、１５０）によって、機械式入力部（１２０）が操作されていると検出されたときに、静電容量式入力部（１３０）での誤入力を防止する防止手段（１６０）とを備えることを特徴としている。
【００１０】
この発明によれば、検出手段（１４０、１５０）によって、いずれの入力部（１２０、１３０）が操作されているかが検出される。そして、操作者が機械式入力部（１２０）を操作しようとしたときに、隣り合う静電容量式入力部（１３０）に、意図せずに触れてしまっても、防止手段（１６０）によって、静電容量式入力部（１３０）の誤入力が確実に防止される。
【００１１】
尚、上記各手段の括弧内の符号は、後述する実施形態記載の具体的手段との対応関係を示すものである。
【図面の簡単な説明】
【００１２】
【図１】入力装置の外観を示す正面図である。
【図２】入力装置の断面を示す断面図である。
【図３】第１実施形態における機械式入力部、静電容量式入力部、およびダミー電極と、操作者の指との位置関係を示す説明図である。
【図４】第１実施形態における静電容量式入力部の電極部、および機械式入力部のダミー電極における静電容量の変化を示すグラフである。
【図５】第１実施形態における制御部が実施する制御内容を示すフローチャートである。
【図６】第２実施形態における機械式入力部、静電容量式入力部、およびダミー電極と、操作者の指との位置関係を示す説明図である。
【図７】第２実施形態における２つのダミー電極における静電容量の変化を示すグラフである。
【図８】第２実施形態における制御部が実施する制御内容を示すフローチャートである。
【図９】第３実施形態における機械式入力部、静電容量式入力部、およびダミー電極と、操作者の指との位置関係を示す説明図である。
【図１０】第３実施形態における静電容量式入力部の電極部、およびダミー電極における静電容量の変化を示すグラフである。
【図１１】第３実施形態における制御部が実施する制御内容を示すフローチャートである。
【発明を実施するための形態】
【００１３】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１４】
（第１実施形態）
第１実施形態の入力装置について図１〜図５を用いて説明する。本実施形態の入力装置は、例えば、車両の空調装置用の入力装置１００に適用されたものとなっている。入力装置１００は、例えば、車両のインストルメントパネルの車両左右方向の中央で、ユーザ（操作者）と対向する部位、あるいは、センターコンソールからインストルメントパネルに接続される部位等に設けられている。
【００１５】
入力装置１００は、図１、図２に示すように、操作パネル１１０、機械式入力部１２０、静電容量式入力部１３０、ダミー電極１４０、静電容量検出器１５０、および制御部１６０等を備えている。
【００１６】
操作パネル１１０は、入力装置１００における基盤を形成する樹脂製の板部材である。操作パネル１１０は、例えば、外形が横長となる長方形に形成されている。操作パネル１１０には、後述する機械式入力部１２０および静電容量式入力部１３０が設けられている。操作パネル１１０の静電容量式入力部１３０に対応する領域の表側の面、つまりユーザ側の面は、操作面１１１となっている。
【００１７】
機械式入力部１２０は、機械的な接点状態の切替えに基づいて作動条件の入力を可能とする入力部である。機械式入力部１２０は、ここでは、ダイヤル式の入力部となっている。機械式入力部１２０としては、空調装置における吹出し空気の温度を設定するための温度設定スイッチ１２０Ａと、吹出し空気の風量を設定するための風量設定スイッチ１２０Ｂとが設けられている。温度設定スイッチ１２０Ａは、操作パネル１１０の長手方向の一方の端部側に配置されている。また、風量設定スイッチ１２０Ｂは、操作パネル１１０の長手方向の他方の端部側に配置されている。
【００１８】
温度設定スイッチ１２０Ａ、および風量設定スイッチ１２０Ｂは、それぞれ同一の構成となっている。各スイッチ１２０Ａ、１２０Ｂは、それぞれ、ダイヤル部１２１、軸部１２２、接点部１２３、および抵抗部１２４等を有している。
【００１９】
ダイヤル部１２１は、ユーザの複数の指によって摘まれて、回転操作される扁平円柱状の部材であり、操作面１１１からユーザ側に突出するように配置されている。軸部１２２は、ダイヤル部１２１に一体的に形成されて、操作パネル１１０を貫通するように設けられている。
【００２０】
接点部１２３は、例えば、軸部１２２の先端部に突出するように設けられて、電気的な抵抗を形成する抵抗部１２４と接触するようになっている。ダイヤル部１２１が回転操作されることで、接点部１２３の抵抗部１２４に対する接触位置が変化し、よって、各スイッチ１２０Ａ、１２０Ｂから後述する制御部１６０に出力される電圧信号が連続的に変化するようになっている。
【００２１】
静電容量式入力部１３０は、ユーザの指操作時の接触状態に基づいて作動条件の入力を可能とする入力部である。静電容量式入力部１３０としては、吹出しモードとしてフェイスモードに切替えるフェイスモードスイッチ１３０Ａ、吹出しモードとしてフットモードに切替えるフットモードスイッチ１３０Ｂ、吹出しモードとしてフェイスフットモードに切替えるフェイスフットモードスイッチ１３０Ｃ、フロントウインドウの曇り除去用のフロントデフロスタスイッチ１３０Ｄ、リアウインドウの曇り除去用のリアデフロスタスイッチ１３０Ｅ、空調装置の自動制御運転設定用のオートスイッチ１３０Ｆ、車室内の内気にて空調を行う内気モードに切替える内気モードスイッチ１３０Ｇ、車室外の外気にて空調を行う外気モードに切替える外気モードスイッチ１３０Ｈ、および送風機のオンオフ用のファンスイッチ１３０Ｉ等が設けられている。
【００２２】
上記の各スイッチ１３０Ａ〜１３０Ｉは、操作パネル１１０の温度設定スイッチ１２０Ａと風量設定スイッチ１２０Ｂとの間の領域に配置されている。各スイッチ１３０Ａ〜１３０Ｉは、操作パネル１１０の長手方向に複数（ここでは６つ）並ぶように、且つ、上下に複数段（ここでは２段）となるように配置されている。
【００２３】
上記のように、本実施形態の入力装置１００においは、操作パネル１１０内に、機械式入力部１２０（各スイッチ１２０Ａ、１２０Ｂ）と静電容量式入力部１３０（各スイッチ１３０Ａ〜１３０Ｉ）とが混在するように形成されている。
【００２４】
各スイッチ１３０Ａ〜１３０Ｉは、それぞれ同一の構成となっている。各スイッチ１３０Ａ〜１３０Ｉは、それぞれ、意匠部１３１、および電極部１３２等を有している。
【００２５】
意匠部１３１は、操作面１１１において、各スイッチ１３０Ａ〜１３０Ｉを識別（機能表示）するための文字あるいは図形等が表示された部位となっている。
【００２６】
電極部１３２は、意匠部１３１、および操作パネル１１０を介してユーザの指操作時の指との間でコンデンサを形成する静電容量式の電極部であり、各意匠部１３１の位置に対応するように、操作パネル１１０の裏側に設けられている。電極部１３２は、例えば、金属箔や導電性物質を含む印刷材料等から形成されており、操作パネル１１０に接合されている。金属箔や導電性物質は、例えば、カーボン、金属、導電性高分子等である。また、印刷材料は、例えばインク、ペーストである。各電極部１３２は、信号線によって、後述する静電容量検出器１５０に接続されている。
【００２７】
ダミー電極１４０は、機械式入力部１２０、即ち、温度設定スイッチ１２０Ａ、および風量設定スイッチ１２０Ｂにそれぞれ設けられた静電容量式の電極部となっている。ダミー電極１４０は、例えばリング状を成して、リング部がダイヤル部１２１の外周側の位置に対応するように、操作パネル１１０の裏側に設けられている。ダミー電極１４０は、上記の静電容量式入力部１３０における各電極部１３２と同様の材料から形成されており、操作パネル１１０に接合されている。ダミー電極１４０は、信号線によって、後述する静電容量検出器１５０に接続されている。
【００２８】
静電容量検出器１５０は、ユーザの指と各電極部１３２、あるいはダミー電極１４０との間に発生する静電容量の変化を検出する機器であり、検出した結果を静電容量信号として後述する制御部１６０に出力するようになっている。
【００２９】
上記のダミー電極１４０、および静電容量検出器１５０は、本発明の検出手段を形成するものとなっている。
【００３０】
制御部１６０は、各スイッチ１２０Ａ、１２０Ｂの抵抗部１２４を介して出力される電圧信号、および静電容量検出器１５０から出力される各電極部１３２に対応する静電容量信号に基づいて、各作動部の作動を制御するようになっている。
【００３１】
また、制御部１６０は、本発明の防止手段に対応するものになっており、ダミー電極１４０による静電容量信号に基づいて、各スイッチ１３０Ａ〜１３０Ｉによる誤入力を防止するようにしている（詳細後述）。
【００３２】
次に、上記構成に基づく入力装置１００の作動、および作用効果を、図３〜図５を加えて説明する。
【００３３】
入力装置１００において、ユーザは、静電容量式入力部１３０である各スイッチ１３０Ａ〜１３０Ｉを操作する場合は、図３中の符号１によって示すように、各スイッチ１３０Ａ〜１３０Ｉの意匠部１３１に指先（通常一本の指先）を接触させることで、所望する機能を選択する。これにより、図４中の符号１によって示すように、選択された各スイッチ１３０Ａ〜１３０Ｉの電極部１３２による静電容量が変化する。制御部１６０は、静電容量検出器１５０を介して得られる静電容量信号に基づいて各スイッチ１３０Ａ〜１３０Ｉに対応する作動部の機能を発揮させる。
【００３４】
また、ユーザは、機械式入力部１２０である各スイッチ１２０Ａ、１２０Ｂを操作する場合は、図３中の符号２によって示すように、複数本（通常３〜４本）の指でダイヤル部１２１を摘むようにして、ダイヤル部１２１を回転操作する。これにより、抵抗部１２４を介して出力される電圧信号が変化して、制御部１６０は、変化する電圧信号に基づいて温度設定値、あるいは風量設定値を変更する。
【００３５】
このとき、ダイヤル部１２１が複数本の指によって操作されることで、図４中の符号２によって示すように、ダミー電極１４０による静電容量の変化が発生する。
【００３６】
ここで、例えば、ユーザが温度設定スイッチ１２０Ａを回転操作させているときに、意図せずに、近接するスイッチ、例えば、スイッチ１３０Ａ、あるいはスイッチ１３０Ｇに触れてしまうと、そのスイッチの入力が成されて、触れてしまったスイッチに対応する機能に切替えられてしまう場合がある。
【００３７】
本実施形態ではこのような誤入力を防止するために、制御部１６０は、図５に示す制御フローに基づいて、入力制御を実行するようにしている。
【００３８】
制御部１６０は、常時、各電極部１３２、およびダミー電極１４０における静電容量の変化を監視している。そして、ステップＳ１００にて、各スイッチ１２０Ａ、１２０Ｂにおけるダミー電極１４０によって発生する静電容量値が、予め定めた所定の閾値を超えたか否かを判定する。所定の閾値は、図４に示すように、電極部１３２によって発生される静電容量値と、ダミー電極１４０によって発生される静電容量値との間に設けられて、電極部１３２の静電容量変化は検出せず、ダミー電極１４０の静電容量変化のみを検出するように設定された閾値となっている。
【００３９】
電極部１３２によって発生される静電容量値は、ユーザの一本の指によって発生されるものであり、またダミー電極１４０によって発生される静電容量値は、ユーザの複数本（３〜４本）の指によって発生されるものとなる。このように、操作時の指の本数が異なることから、ダミー電極１４０に対する指の面積が、電極部１３２に対する指の面積よりも大きい。よって、ダミー電極１４０によって発生される静電容量値は、電極部１３２によって発生される静電容量値よりも大きくなる。このことより、所定の閾値は、両者の静電容量値の大きさの違いを踏まえたものとして設定されている訳である。
【００４０】
ステップＳ１００で、肯定判定すると、ユーザは機械式入力部１２０、即ち、スイッチ１２０Ａ、あるいはスイッチ１２０Ｂを操作しているものと想定される。よって、制御部１６０は、ステップＳ１１０で、機械式入力部１２０から得られる電圧信号に基づいて、上記で説明したような通常の入力処理、即ち、温度設定値、あるいは風量設定値の変更を行う。
【００４１】
併せて、制御部１６０は、ステップＳ１２０で、静電容量式入力部１３０に対して各電極部１３２の感度を低下させる。各電極部１３２の感度を低下させるということは、例えば、本来の各電極部１３２によって発生する静電容量値に対する判定値を大きくすることで、意図的に各電極部１３２からの静電容量信号ありの判定をしないようにするものである。制御部１６０が実行するステップＳ１２０は、本発明の防止手段に対応する。
【００４２】
そして、制御部１６０は、ステップＳ１３０で、予め定めた所定時間の経過を待って、ステップＳ１４０に移行する。つまり、制御部１６０は、ステップＳ１２０を所定時間だけ継続させるということである。ここで、所定時間とは、通常、ユーザが機械式入力部１２０を操作するのに必要とされる時間として設定されている。
【００４３】
そして、ステップＳ１４０で、制御部１６０は、ステップＳ１２０で行った感度低下の処置を解除する。
【００４４】
一方、ステップＳ１００で、否と判定すると、ユーザは機械式入力部１２０への操作はしていない状況であり、ステップＳ１５０で、制御部１６０は、各電極部１３２による静電容量信号の検出があるかを確認する。つまり、各スイッチ１３０Ａ〜１３０Ｉのいずれかが、操作されたかを判定する。
【００４５】
ステップＳ１５０で肯定判定すると、制御部１６０は、ステップＳ１６０で、静電容量信号に基づく通常の入力処理を行う。つまり、制御部１６０は、各スイッチ１３０Ａ〜１３０Ｉのうち、指操作されたいずれかのスイッチに対応する作動部の機能を発揮させる。
【００４６】
以上のように、本実施形態の入力装置１００では、機械式入力部１２０と静電容量式入力部１３０のうち、いずれの入力部１２０、１３０が操作されているかを検出する検出手段、即ち、ダミー電極１４０、および静電容量検出器１５０を備えている。また、検出手段によって、機械式入力部１２０が操作されていると検出されたときに、静電容量式入力部１３０での誤入力を防止する防止手段、即ち、制御部１６０、および制御部１６０が実行するステップＳ１２０を備えている。
【００４７】
これにより、検出手段（１４０、１５０）によって、いずれの入力部（１２０、１３０）が操作されているかが検出される。そして、ユーザが機械式入力部１２０を操作しようとしたときに、隣り合う静電容量式入力部１３０に、意図せずに触れてしまっても、防止手段（１６０）によって、静電容量式入力部１３０の誤入力が確実に防止される。
【００４８】
また、検出手段の構成部材として、ダミー電極１４０を用いるようにしており、本来の電極部１３２用の静電容量検出器１５０を用いて、同様に信号処理を行うことができ、対応が容易である。
【００４９】
（第２実施形態）
第２実施形態の入力装置１００Ｂを図６〜図８に示す。第２実施形態の入力装置１００Ｂは、上記第１実施形態の入力装置１００に対して、ダミー電極１４０の形状を変更すると共に、制御フローのステップを一部変更したものとしている。
【００５０】
図６に示すように、ダミー電極１４０は、第１ダミー電極１４１と、第２ダミー電極１４２とから形成されている。第１、第２ダミー電極１４１、１４２は、それぞれ、半円形を成す電極となっており、第１ダミー電極１４１は、機械式入力部１２０（スイッチ１２０Ａ、１２０Ｂ）の外周側において、静電容量式入力部１３０（スイッチ１３０Ａ、１３０Ｇ、１３０Ｆ、１３０Ｉ）と隣り合う領域に配置されている。また、第２ダミー電極１４２は、各スイッチ１２０Ａ、１２０Ｂを挟むようにして、第１ダミー電極１４１とは反対側に配置されている。
【００５１】
よって、ユーザが各スイッチ１３０Ａ、１３０Ｇ（１３０Ｆ、１３０Ｉ）を操作する場合、図６中の符号１によって示すように、指先（通常一本の指先）は、各スイッチ１３０Ａ、１３０Ｇ（１３０Ｆ、１３０Ｉ）の電極部１３２に対応するように位置する。加えて、指先は、第１ダミー電極１４１と第２ダミー電極１４２のうち、第１ダミー電極に近接するように位置する。
【００５２】
また、ユーザが各スイッチ１２０Ａ（１２０Ｂ）を操作する場合、図６中の符号２によって示すように、ダイヤル部１２１において、複数本の指は、第１ダミー電極１４１と、第２ダミー電極１４２とにそれぞれ分かれて対応するように位置することになる。例えば、親指は第１ダミー電極１４１に対応するように位置し、また、人差指、中指、および薬指は第２ダミー電極１４２に対応するように位置する。
【００５３】
よって、図７中の符号１によって示すように、ユーザが各スイッチ１３０Ａ、１３０Ｇ（１３０Ｆ、１３０Ｉ）を操作する場合、第１ダミー電極１４１と第２ダミー電極１４２のうち、第１ダミー電極１４１による静電容量の変化が発生する。また、図７中の符号２によって示すように、ユーザが各スイッチ１２０Ａ（１２０Ｂ）を操作する場合、第１ダミー電極１４１と第２ダミー電極１４２の両者による静電容量の変化が発生する。
【００５４】
本実施形態では、上記のような第１、第２ダミー電極１４１、１４２の反応を利用して、図８に示す制御フローを基に、制御部１６０は、入力制御を実行するようにしている。図８に示す制御フローは、上記第１実施形態で説明した図４の制御フローのステップＳ１００をステップＳ１００Ａに変更したものである。
【００５５】
つまり、制御部１６０は、ステップＳ１００Ａにて、２つのダミー電極１４１、１４２の両者による静電容量の変化があったかを判定する。つまり、上記で説明したように、ステップＳ１００Ａで肯定判定すると、ユーザは、各スイッチ１２０Ａ（１２０Ｂ）、および各スイッチ１３０Ａ、１３０Ｇ（１３０Ｆ、１３０Ｉ）のうち、各スイッチ１２０Ａ（１２０Ｂ）側を操作していると想定されるのである。
【００５６】
そして、制御部１６０は、ステップＳ１００Ａで肯定判定すると、ステップＳ１１０〜ステップＳ１４０を実行し、また、ステップＳ１００Ａで否定判定すると、ステップＳ１５０、ステップＳ１６０を実行する。これにより、上記第１実施形態と同様の効果を得ることができる。
【００５７】
（第３実施形態）
第３実施形態の入力装置１００Ｃを図９〜図１１に示す。第３実施形態の入力装置１００Ｃは、上記第１実施形態の入力装置１００に対して、ダミー電極１４０の配置を変更すると共に、制御フローのステップを一部変更したものとしている。
【００５８】
図９に示すように、ダミー電極１４０は、機械式入力部１２０に隣接する静電容量式入力部１３０に設けられている。隣接する静電容量式入力部１３０には、本来の電極部１３２とダミー電極１４０とが対となって設けられている。
【００５９】
具体的には、温度設定スイッチ１２０Ａに隣接するフェイスモードスイッチ１３０Ａ、および内気モードスイッチ１３０Ｇには、それぞれ、電極部１３２に加えて、ダミー電極１４０が設けられている。図示は省略しているが、同様に、風量設定スイッチ１２０Ｂに隣接するオートスイッチ１３０Ｆ、およびファンスイッチ１３０Ｉにも、それぞれ、ダミー電極１４０が設けられている。
【００６０】
よって、ユーザが各スイッチ１３０Ａ、１３０Ｇ（１３０Ｆ、１３０Ｉ）を操作する場合、図９中の符号１によって示すように、指先（通常一本の指先）は、各スイッチ１３０Ａ、１３０Ｇ（１３０Ｆ、１３０Ｉ）の電極部１３２、およびダミー電極１４０に対応するように位置する。
【００６１】
また、ユーザが各スイッチ１２０Ａ（１２０Ｂ）を操作する場合、図９中の符号２によって示すように、ダイヤル部１２１において、複数本の指のうちのいずれか（例えば、親指）は、ダミー電極１４０に対応するように位置することになる。
【００６２】
よって、図１０中の符号１によって示すように、ユーザが各スイッチ１３０Ａ、１３０Ｇ（１３０Ｆ、１３０Ｉ）を操作する場合、電極部１３２とダミー電極１４０とによる静電容量の変化が発生する。また、図１０中の符号２によって示すように、ユーザが各スイッチ１２０Ａ（１２０Ｂ）を操作する場合、ダミー電極１４０による静電容量の変化が発生する。
【００６３】
本実施形態では、上記のような電極部１３２、およびダミー電極１４０の反応を利用して、図１１に示す制御フローを基に、制御部１６０は、入力制御を実行するようにしている。図１１に示す制御フローは、上記第１実施形態で説明した図４の制御フローのステップＳ１００をステップＳ１００Ｂに変更したものである。
【００６４】
つまり、制御部１６０は、ステップＳ１００Ｂにて、電極部１３２、およびダミー電極１４０のうち、ダミー電極１４０のみによる静電容量の変化があったかを判定する。つまり、ステップＳ１００Ｂでは、上記で説明したように、肯定判定すると、ユーザは、各スイッチ１２０Ａ（１２０Ｂ）側を操作していると想定されるのである。
【００６５】
そして、制御部１６０は、ステップＳ１００Ｂで肯定判定すると、ステップＳ１１０〜ステップＳ１４０を実行し、また、ステップＳ１００Ａで否定判定すると、ステップＳ１５０、ステップＳ１６０を実行する。これにより、上記第１実施形態と同様の効果を得ることができる。
【００６６】
（その他の実施形態）
上記各実施形態では、制御フローのステップＳ１２０にて、防止手段として、各電極部１３２の感度を低下させるようにしたが、これに限らず、静電容量式入力部１３０による静電容量信号の受付けを禁止するようにしても良い。静電容量信号の受付けを禁止するということは、各電極部１３２による静電容量信号の発生があっても、意図的に受付けを禁止して、各作動部への制御処理を行わないようにするものである。
【００６７】
また、上記各実施形態では、制御フローのステップＳ１３０で、所定時間の経過を待って次のステップＳ１４０に移行するものとした。しかしながら、ダミー電極１４０による静電容量値の発生がなくなったことを確認するもの（第１実施形態）、例えば、ダミー電極１４０によって発生する静電容量値が、ステップＳ１００の場合とは逆に、所定の閾値を下回ったことを判定するようにしたものとしても良い。あるいは、２つのダミー電極１４１、１４２の両者の検出がなくなったことを確認するもの（第２実施形態）、あるいは、ダミー電極１４０のみの検出がなくなったことを確認するもの（第３実施形態）等としても良い。
【００６８】
また、第２実施形態では、ダミー電極１４０は、第１ダミー電極１４１と第２ダミー電極１４２の２つに分割されたものとして説明したが、これに限らず、３つ以上に分割されたものとしても良い。
【００６９】
また、機械式入力部１２０として、ダイヤル式の入力部としたが、これに限らず、トグル式入力部、あるいは押下式入力部等に適用することも可能である。また、機械式入力部１２０として、抵抗部１２４を用いたものとしたが、これに限らず、機械的な接点を切替えるもの等としても良い。
【００７０】
また、本入力装置を空調装置用の入力装置として説明したが、これに限らず、ナビゲーション装置、オーディオ装置等、各種装置の入力装置として適用することが可能である。
【符号の説明】
【００７１】
１００、１００Ａ、１００Ｂ  入力装置
１１０  操作パネル
１２０  機械式入力部（ダイヤル式の入力部）
１２０Ａ  温度設定スイッチ
１２０Ｂ  風量設定スイッチ
１３０  静電容量式入力部
１４０  ダミー電極（検出手段、静電容量式の電極部）
１５０  静電容量検出器（検出手段）
１６０  制御部（防止手段）
【図１】
2015135565.tif 000003
【図２】
2015135565.tif 000004
【図３】
2015135565.tif 000005
【図４】
2015135565.tif 000006
【図５】
2015135565.tif 000007
【図６】
2015135565.tif 000008
【図７】
2015135565.tif 000009
【図８】
2015135565.tif 000010
【図９】
2015135565.tif 000011
【図１０】
2015135565.tif 000012
【図１１】
2015135565.tif 000013